(57)【要約】【課題】記録部及び制御部を備えた装置本体を小型に構成することができると共に、記録部から制御部への異物の侵入を防止することができるカバー構造及びそのカバー構造を備えた制御装置並びにその制御装置を備えた電子機器を提供すること。【解決手段】被記録媒体に対し記録材料を吐出して記録する記録部の上方に配置され、少なくとも前記記録部の記録を制御する制御部１４０を覆うカバー部材１０を備える。これにより、従来の記録部と制御部との間に隔壁を設ける構成の場合は制御部の配置に制限がでるが、制御部自体を覆うカバー部材の場合は制御部の配置の自由度が高くなるので、制御部を記録部の上方に配置して奥行き方向のサイズを小さくすることができる。更に、記録部から制御部への異物の侵入を防止することができる。【選択図】図３
2008036898.tif 000002
【特許請求の範囲】
【請求項１】
被記録媒体に対し記録材料を吐出して記録する記録部の上方に配置され、少なくとも前記記録部の記録を制御する制御部を覆うカバー部材を備えたことを特徴とするカバー構造。
【請求項２】
前記カバー部材は、ハウジングに設けられた放熱孔に連通されていることを特徴とする請求項１に記載のカバー構造。
【請求項３】
前記放熱孔は、前記カバー部材の内部とのみ連通されていることを特徴とする請求項２に記載のカバー構造。
【請求項４】
前記カバー部材は、少なくとも前記制御部の基板の底面と一側面を覆う被覆部を備えていることを特徴とする請求項１〜３の何れか一項に記載のカバー構造。
【請求項５】
前記カバー部材は、前記基板の他側面側においてハウジングに設けられた放熱孔に連通する連通部を備えていることを特徴とする請求項４に記載のカバー構造。
【請求項６】
前記カバー部材は、前記記録部の記録ヘッドの走査領域の近傍に配置されていることを特徴とする請求項１〜５の何れか一項に記載のカバー構造。
【請求項７】
請求項１〜６の何れか一項に記載のカバー構造を有する制御部を備えたことを特徴とする制御装置。
【請求項８】
請求項７に記載の制御装置を備えたことを特徴とする電子機器。
【発明の詳細な説明】
【技術分野】
【０００１】
本発明は、少なくとも記録部の記録を制御する制御部を覆うカバー部材を備えたカバー構造及びそのカバー構造を備えた制御装置並びにその制御装置を備えた電子機器に関する。
【背景技術】
【０００２】
電子機器の１つであるインクジェット記録装置は、印字制御回路により制御されるインク吐出ヘッドが、記録領域を往復移動しながらインクを吐出して記録する。印字制御回路は装置本体の手前側に配置され、インク吐出ヘッドは装置本体の奥側に配置されている。そして、インク吐出ヘッドの動作時に発生するインクミストが印字制御回路側に侵入しないように、印字制御回路とインク吐出ヘッドの間には隔壁が設けられている（特許文献１参照）。
【０００３】
【特許文献１】特開平７−１７０３１号公報
【発明の開示】
【発明が解決しようとする課題】
【０００４】
上述した従来のインクジェット記録装置は、印字制御回路が装置本体の手前側に配置され、インク吐出ヘッドが装置本体の奥側に配置されているので、装置本体の奥行き方向のサイズが大きくなる。そのため、このインクジェット記録装置をセッティングする際には、広い設置スペースを確保しなければならない。
【０００５】
本発明は、上記のような課題に鑑みなされたものであり、その目的は、記録部及び制御部を備えた装置本体を小型に構成することができると共に、特に記録部から制御部への異物の侵入を防止することができるカバー構造及びそのカバー構造を備えた制御装置並びにその制御装置を備えた電子機器を提供することにある。
【課題を解決するための手段】
【０００６】
上記目的達成のため、本発明のカバー構造では、被記録媒体に対し記録材料を吐出して記録する記録部の上方に配置され、少なくとも前記記録部の記録を制御する制御部を覆うカバー部材を備えたことを特徴としている。これにより、従来の記録部と制御部の間に隔壁を設ける構成の場合は制御部の配置に制限がでるが、制御部自体を覆うカバー部材の場合は制御部の配置の自由度が高くなるので、制御部を記録部の上方に配置して奥行き方向のサイズを小さくすることができる。更に、制御部への異物の侵入、例えば記録部からのミスト化した記録材料の侵入を防止することができる。
【０００７】
また、前記カバー部材は、ハウジングに設けられた放熱孔に連通されていることを特徴としている。これにより、制御部の基板に実装された電子部品の発熱により温度上昇した空気をハウジングの内部から外部へ放出することができるので、上記電子部品の過熱を抑えることができる。また、前記放熱孔は、前記カバー部材の内部とのみ連通されていることを特徴としている。これにより、更に放熱孔を通してハウジングの外部への異物の漏れ、例えば記録部からのミスト化した記録材料の漏れを防止することができる。
【０００８】
また、前記カバー部材は、少なくとも前記制御部の基板の底面と一側面を覆う被覆部を備えていることを特徴としている。これにより、基板をハウジングの上部一側端に配置してカバー部材の被覆部とハウジングにより基板を略完全に覆うことが可能となるので、カバー部材を簡易な構造としてコストの上昇を抑えることができると共に、ハウジング内でのスペース効率を高めることができる。更に、基板下部に取り付けられている比較的高温の板金に直接触れてしまうことを防止することができる。更に、この板金を放熱穴まで延長することができるので、放熱効果を高めることができる。
【０００９】
また、前記カバー部材は、前記基板の他側面側においてハウジングに設けられた放熱孔に連通する連通部を備えていることを特徴としている。これにより、連通部を短く形成することができるので、カバー部材自体を小型化することができる。また、前記カバー部材は、前記記録部の記録ヘッドの走査領域の近傍に配置されていることを特徴としている。これにより、制御部を記録部に可能な限り近接配置することができるので、ハウジング内のスペース効率を向上させることができる。
【００１０】
上記目的達成のため、本発明の制御装置は、上記各カバー構造を有する制御部を備えたことを特徴としている。また、上記目的達成のため、本発明の電子機器は、上記制御装置を備えたことを特徴としている。これにより、上記各作用効果を奏する制御装置又は電子機器を提供することが可能である。
【発明を実施するための最良の形態】
【００１１】
本発明の実施形態について、図面を参照して説明する。尚、以下に説明する実施形態は特許請求の範囲に係る発明を限定するものではなく、また実施形態の中で説明されている特徴の組み合わせの全てが発明の解決手段に必須であるとは限らない。
【００１２】
図１は、本発明の一実施の形態に係るカバー構造を備えた電子機器である記録装置の外観構成の全体を示す斜視図である。この記録装置はインクジェット式プリンタ１００であり、例えば名刺、カード、Ｌ判／２Ｌ判、ハガキ、六切やＪＩＳ規格のＡ６判からＡ４判までのサイズの単票の用紙（被記録媒体）に記録することができる機能を備えている。このインクジェット式プリンタ１００は、全体が略直方体状のハウジング１０１で覆われている。ハウジング１０１の上部開口部は、開閉自在なハウジングカバー１０２によって覆われている。このハウジングカバー１０２は、後端の回転軸を中心に図示矢印ａ方向に回動可能に取り付けられている。ユーザは、ハウジングカバー１０２を開放することにより、インクカートリッジの交換作業や内部機構のメンテナンス作業等を容易に行うことができる。また、ハウジング１０１の上面における前面側には操作部１１０が配設され、上面における背面側には給紙部１２０が配設され、前面側には排紙部１３０が配設されている。そして、ハウジング１０１の内部には、本実施形態のカバー構造を構成するカバー部材１０（図３等参照）を含む制御部１４０（図３等参照）及び図示しない記録部及び用紙搬送部等が配設されている。
【００１３】
操作部１１０は、押しボタン式のパワー系及び操作系のスイッチ１１１が配設されている。給紙部１２０は、上方に向かって矩形状に開口した給紙口１２１を開閉する機能と、給紙する用紙を１枚もしくは複数枚サポートする機能を併せ持ったペーパーサポート１２２を備えている。このペーパーサポート１２２は、後端の回転軸を中心に図示矢印ｂ方向に回動可能に取り付けられている。ユーザは、インクジェット式プリンタ１００を使用又は不使用のときは、ペーパーサポート１２２の両側に指を掛けてペーパーサポート１２２を開閉することができるので、用紙の差し入れを容易に行うことができ、また給紙口１２１内への埃の侵入を防止することができる。
【００１４】
排紙部１３０は、前方に向かって矩形状に開口した排紙口１３１を開閉する機能と、内部に設けられた排紙される用紙を１枚もしくは複数枚スタックする図示しないスタッカを覆う機能を併せ持ったカバースタッカ１３２を備えている。このカバースタッカ１３２は、下端の回転軸を中心に図示矢印ｃ方向に回動可能に取り付けられている。ユーザは、インクジェット式プリンタ１００を使用又は不使用のときは、カバースタッカ１３２の上部に指を掛けてカバースタッカ１３２を開閉することができるので、セッティングを容易に行うことができ、また排紙口１３１内への埃の侵入を防止することができる。更に、記録後の用紙は常に前面側から排紙されるので、ユーザは用紙を容易に取り出すことができる。
【００１５】
図２は、上記インクジェット式プリンタ１００のハウジングカバー１０２を開放した状態を示す斜視図である。ハウジング１０１は、フロントハウジング１０１ａ、サイドハウジング１０１ｂ、１０１ｃ及びミドルハウジング１０１ｄに分割されている。フロントハウジング１０１ａとサイドハウジング１０１ｂ、１０１ｃは、外装を構成しており、ミドルハウジング１０１ｄは、フロントハウジング１０１ａとサイドハウジング１０１ｂ、１０１ｃの内側に配設されて内装を構成している。サイドハウジング１０１ｂの略中央には、帯状の放熱穴１０１ｂａが背面側から前面側にかけて穿設されている。尚、図示していないがサイドハウジング１０１ｃ側も同様に構成されている。そして、サイドハウジング１０１ｂの放熱穴１０１ｂａから覗くミドルハウジング１０１ｄの側面部１０１ｄａ及び上面部１０１ｄｂの図示左側には、格子状に配列された複数の円形状の放熱孔１０１ｄｃ、１０１ｄｄが穿孔されている。ミドルハウジング１０１ｄの上面部１０１ｄｂにおける放熱孔１０１ｄｄの下方には、本実施形態のカバー構造を構成するカバー部材１０（図３等参照）を含む制御部１４０（図３等参照）が配設され、更にミドルハウジング１０１ｄの上面部１０１ｄｂの下方には、図示しない記録部及び用紙搬送部が配設されている。
【００１６】
図３は、上記ミドルハウジング１０１ｄ、制御部１４０及びカバー部材１０の分解斜視図、図４は、制御部１４０にカバー部材１０を取り付けたときの斜視図である。制御部１４０は、プリンタコントローラを構成するメイン基板１４１を備えている。このメイン基板１４１は、ＣＰＵ、ＲＯＭ、ＲＡＭ、ＡＳＩＣ等の制御素子や記憶素子及びその他の各種回路素子（以下、電子部品という）１４２が実装され、放熱及び電磁シールドの役目をなす板金１４３に覆われてユニット化されている。そして、このユニット化されたメイン基板（以下、ユニット基板という）１４１は、プリントエンジンを構成する記録部と用紙搬送部の図３に示す上方左側であってミドルハウジング１０１ｄの上面部１０１ｄｂにおける放熱孔１０１ｄｄの下方に水平配置されている。
【００１７】
ここで、記録部は、ミドルハウジング１０１ｄの下方において主走査方向に往復移動するキャリッジと、このキャリッジに搭載されて副走査方向に搬送される用紙に対してインク滴（記録材料）を吐出して記録する記録ヘッド等を備えている。記録ヘッドから吐出されるインク滴は、近年微小ドット化してきているため、サテライトと呼ばれるインクミストが放出される場合がある。このインクミストは、ミドルハウジング１０１ｄ内で浮遊し、キャリッジの往復移動により舞い上がって、ユニット基板１４１等に付着するおそれがある。そして、インクミストがユニット基板１４１の接続端子や配線に付着した場合は、ショート等の不具合が発生するおそれがある。そこで、このユニット基板１４１は、カバー部材１０により覆われており、ユニット基板１４１に対する異物の付着、特にインクミスト及び塵や埃等の付着を防止している。
【００１８】
このカバー部材１０は、ユニット基板１４１の図３に示す底面１４１ａを覆う略矩形状の底面被覆部（被覆部）１１と、ユニット基板１４１の図３に示す右側面１４１ｂを覆う略矩形状の側面被覆部（被覆部）１２と、ミドルハウジング１０１ｄの側面部１０１ｄａの放熱孔１０１ｄｃに連通する略矩形状の放熱孔連通部（連通部）１３を備えている。底面被覆部１１の図３に示す右端に側面被覆部１２が上方に突き出すように一体的に立設され、底面被覆部１１の図３に示す右端に放熱孔連通部１３が下方に突き出すように一体的に立設されている。そして、放熱孔連通部１３は、ミドルハウジング１０１ｄの側面部１０１ｄａとの間に放熱孔１０１ｄｃに連通する空間部１３ａを形成するようになっている。
【００１９】
このような構成のカバー部材１０は、図４に示すように、底面被覆部１１がユニット基板１４１の底面１４１ａにネジ等により取り付けられる。そして、カバー部材１０が取り付けられたユニット基板１４１は、ミドルハウジング１０１ｄの上面部１０１ｄｂにおける放熱孔１０１ｄｄの下方に水平配置される。これにより、従来の記録部と制御部の間に隔壁を設けたインクジェット式プリンタの場合は制御部の配置に制限がでるが、本実施形態の制御部１４０自体を覆うカバー部材１０の場合は制御部１４０の配置の自由度が高くなるので、制御部１４０を記録部の上方に配置してプリンタ本体の奥行き方向のサイズを小さくすることができると共に、制御部１４０をミドルハウジング１０１ｄの上部一側端に配置してミドルハウジング１０１ｄ内のスペース効率を高めることができる。また、ユニット基板１４１の下部に取り付けられている比較的高温の板金１４３に直接触れてしまうことを防止することができる。また、この板金１４３をミドルハウジング１０１ｄの側面部１０１ｄａの放熱孔１０１ｄｃまで延長することにより、放熱効果を高めることができる。また、ユニット基板１４１の底面１４１ａは、放熱効果を高めるために、アルミニウム等の熱伝導性の高いものを使用する場合もある。また、放熱孔連通部１３がミドルハウジング１０１ｄの側面部１０１ｄａの放熱孔１０１ｄｃに近接して設けられているので、放熱孔１０１ｄｃに連通する空間部１３ａを短く形成することができ、放熱孔連通部１３自体を小型化することができる。
【００２０】
図５は、上記制御部１４０とその周辺の断面図である。ユニット基板１４１は、図示底面１４１ａがカバー部材１０の底面被覆部１１に覆われ、図示右側面１４１ｂがカバー部材１０の側面被覆部１２に覆われる。更に、ユニット基板１４１は、図示上面１４１ｃがミドルハウジング１０１ｄの上面部１０１ｄｂに覆われ、図示左側面１４１ｄがミドルハウジング１０１ｄの側面部１０１ｄａに覆われ、前面１４１ｅが図示しないフロントハウジング１０１ａに覆われ、背面１４１ｆがミドルハウジング１０１ｄの背面部１０１ｄｅに覆われる。従って、インクミストＩＭが、ミドルハウジング１０１ｄ内で浮遊し、キャリッジの往復移動により舞い上がっても、ユニット基板１４１は、カバー部材１０、ミドルハウジング１０１ｄ及びフロントハウジング１０１ａに覆われているので、ユニット基板１４１に付着することを防止することができる。
【００２１】
また、放熱孔連通部１３は、ミドルハウジング１０１ｄの側面部１０１ｄａの放熱孔１０１ｄｃに連通されているので、ユニット基板１４１に実装された電子部品１４２の発熱により温度上昇した空気をカバー部材１０の内部から空間部１３ａを通して放熱孔１０１ｄｃからハウジング１０１の外部へ放出することができるので、上記電子部品１４２の過熱を抑えることができる。また、ミドルハウジング１０１ｄの側面部１０１ｄａの放熱孔１０１ｄｃは、放熱孔連通部１３の内部とのみ連通されているので、更に放熱孔１０１ｄｃを通してハウジング１０１の外部への異物の漏れ、特に記録部からのインクミストの漏れを防止することができる。また、カバー部材１０は、記録部の記録ヘッドの走査領域の近傍に配置されているので、制御部１４０を記録部に可能な限り近接配置することができ、ハウジング１０１内のスペース効率を向上させることができる。
【産業上の利用可能性】
【００２２】
カバー構造を備えた電子機器であれば、例えばファクシミリ装置、コピー装置、スキャナ等の記録装置を含む一般的な電子機器であっても適用可能である。
【図面の簡単な説明】
【００２３】
【図１】本発明の一実施の形態に係るカバー構造を備えた電子機器である記録装置の外観構成の全体を示す斜視図である。
【図２】図１のプリンタのハウジングカバーを開放した状態を示す斜視図である。
【図３】図２のミドルハウジングと制御部とカバー構造の分解斜視図である。
【図４】図３の制御部にカバー構造を取り付けた状態を示す斜視図である。
【図５】図１のプリンタの制御部とその周辺の断面図である。
【符号の説明】
【００２４】
１０  カバー部材、１１  底面被覆部、１２  側面被覆部、１３  放熱孔連通部、１３ａ  空間部、１００  インクジェット式プリンタ、１０１  ハウジング、１０１ａ  フロントハウジング、１０１ｂ、１０１ｃ  サイドハウジング、１０１ｂａ  放熱穴、１０１ｄ  ミドルハウジング、１０１ｄａ  側面部、１０１ｄｂ  上面部、１０１ｄｃ、１０１ｄｄ  放熱孔、１０１ｄｅ  背面部、１０２  ハウジングカバー、１１０  操作部、１２０  給紙部、１３０  排紙部、１４０  制御部、１４１  メイン基板（ユニット基板）、１４３  板金
【図１】
2008036898.tif 000003
【図２】
2008036898.tif 000004
【図３】
2008036898.tif 000005
【図４】
2008036898.tif 000006
【図５】
2008036898.tif 000007